(57)【特許請求の範囲】
【請求項１】
物体側より順に、負屈折力の第１レンズ群、正屈折力の第２レンズ群、正屈折力の第３レンズ群、負屈折力の第４レンズ群、正屈折力の第５レンズ群からなり、
各群の間隔を変えて変倍を行うズームレンズにおいて、
広角端から望遠端への変倍に際し、
第１レンズ群と第２レンズ群の間隔は減少し、
第２レンズ群と第３レンズ群の間隔は変化し、
第３レンズ群と第４レンズ群の間隔は増大し、
第４レンズ群と第５レンズ群の間隔は増大し、
以下の条件式（４Ａ）を満たすことを特徴とするズームレンズ。
６．７１  ≦  ｆ2  ／  ｆw  ＜  １３．０  ・・・（４Ａ）
但し、ｆ2は前記第２レンズ群の焦点距離である。
【請求項２】
以下の条件式（１）、（２）、（３）を満たすことを特徴とする請求項１に記載のズームレンズ。
１．２  ＜  β4t／β4w  ＜  ２．５  ・・・（１）
０．１  ＜  （ｄ34t  −  ｄ34w）／ｆw  ＜  １．５  ・・・（２）
０．４  ＜  （ｄ45t  −  ｄ45w）／ｆw  ＜  ３．２  ・・・（３）
但し、
β4tは望遠端における前記第４レンズ群の横倍率、
β4wは広角端における前記第４レンズ群の横倍率、
ｄ34wは広角端における前記第３レンズ群と前記第４レンズ群の空気間隔、
ｄ34tは望遠端における前記第３レンズ群と前記第４レンズ群の空気間隔、
ｄ45wは広角端における前記第４レンズ群と前記第５レンズ群の空気間隔、
ｄ45tは望遠端における前記第４レンズ群と前記第５レンズ群の空気間隔、
ｆwは広角端における全系焦点距離
である。
【請求項３】
以下の条件式（５）、（６）を満たすことを特徴とする請求項１に記載のズームレンズ。
３  ＜  ｆt  ／  ｆw    ・・・（５）
１．０  ＜  ｆbw  ／  ｆw  ＜  １．９  ・・・（６）
但し、
ｆt  は望遠端における全系焦点距離、
ｆbwは広角端におけるバックフォーカス（空気間隔）
である。
【請求項４】
無限遠物点から至近物点へのフォーカスに際し、前記第４レンズ群が移動する事を特徴とする請求項１に記載のズームレンズ。
【請求項５】
以下の条件式（９）を満たすことを特徴とする請求項１に記載のズームレンズ。
１．０  ＜  ｜ｆ4  ／  ｆw｜  ＜  ７．０  ・・・（９）
但し、ｆ4は前記第４レンズ群の焦点距離である。
【請求項６】
無限遠物点から至近物点へのフォーカスに際し、第２レンズ群が移動する事を特徴とする請求項２に記載のズームレンズ。
【請求項７】
無限遠物点から至近物点へのフォーカスに際し、第５レンズ群が移動する事を特徴とする請求項２に記載のズームレンズ。
【発明の詳細な説明】
【技術分野】
【０００１】
この発明は、ズームレンズ、特に交換レンズシステム用途として最適な、小型で高画質な標準ズームレンズに関するものである。
【背景技術】
【０００２】
近年、レンズ交換式のデジタルカメラが広く一般に普及してきており、従来のいわゆるコンパクトタイプのデジタルカメラでは得られないような、高画質の魅力、ボケを生かした美しさ、レンズ交換による映像表現の楽しさ、等が認知されてきている。
【０００３】
これらのユーザーは、当初、ボディと標準ズームレンズのセットを購入してスタートするケースが多い。しかし、セット販売される標準ズームレンズは、安価で或る事が必要なため、Ｆナンバーが３．５〜５．６程度の物が多く、前記、写真の楽しさを覚えたユーザーには、より良い写真を写したいと考え、新たな交換レンズを購入するケースも多い。特に、高画質とボケに憧れ、大口径の交換レンズを希望するユーザーにとって、ボケを生かした写真を表現したいと思えば、Ｆナンバーが２．８もしくは２．８〜４程度の交換レンズの要望がある。
【０００４】
開放Ｆナンバーが２．８の先行例として、特許文献１や特許文献２がある。いずれも、ズーム全域でＦナンバーが２．８となっている。前者は物体側から順に負屈折力、正屈折力、負屈折力、正屈折力、正屈折力の５群ズームであり、第２レンズ群の一部でフォーカスを行っている。  後者は、物体側から順に負屈折力、正屈折力、負屈折力、正屈折力、負屈折力、正屈折力の６群ズームであり、第５レンズ群でフォーカスを行っている。しかし、いずれの例もサイズが大きく携帯性が悪い。
また高画質な交換レンズの例としては特許文献３や特許文献４などがある。ともに物体側から順に負屈折力、正屈折力、正屈折力、負屈折力、正屈折力の５群ズームを構成しているが、例えば特許文献３ではＦナンバーが３．４〜５．６と大きい。また、特許文献３ではフォーカス方式の言及はないが、仮に重量の小さい群（例えば、第２群あるいは第４群）でフォーカスすると、近距離での収差変動が大きくなってしまう。
一方、特許文献４では動画対応が考慮されているものの変倍比が２以下と高い変倍比を得ることができない。
【先行技術文献】
【特許文献】
【０００５】
【特許文献１】特開２００７−０９３９７６号公報
【特許文献２】特開２０１０−２４３６３６号公報
【特許文献３】特開２００４−２５８６４４号公報
【特許文献４】特開２０１０−１７６０９６号公報
【発明の概要】
【発明が解決しようとする課題】
【０００６】
一方、最近のデジタルカメラにおいては動画撮影の可能な製品が多く、レンズ交換式のデジタルカメラにおいてもボディの動画撮影機能に対応した交換レンズが求められている。
【０００７】
従来の静止画カメラでは、一瞬の撮影チャンスを切り取る事が目的であったから、構図を決めた後に、撮影の瞬間に狙った被写体へピントが合っていれば良く、そのための機能が求められていた。具体的には、いわゆる位相差方式のオートフォーカス（ＡＦ）機能が採用されており、早さと精度を兼ね備えたＡＦ方式であった。
【０００８】
しかし、動画撮影においては、一部のプロ用ビデオカメラを除き、多くの民生用ビデオカメラでは常時、ＡＦを働かせて合焦状態を維持しておく必要がある。そのための方法として、撮像素子によるコントラストＡＦ方式（いわゆる山登り方式）が採用されてきた。さらに、合焦状態を維持するために、フォーカスレンズを合焦位置の前後に、常に微小量動かすことによってコントラストの変化を測定しておき（ウォブリングと言われる）、合焦状態が変化していると判断された場合には、フォーカスレンズを適切に移動させる事によって、再度、合焦し直すように動作する。このウォブリング機能は、フレームレートに応じて非常に高速な動作を必要とするため、ウォブリングレンズには軽量化が必要である。
【０００９】
本発明では、変倍比が３程度の標準ズームレンズにおいて、小型かつ明るく高画質であり、動画機能にも対応すべくウォブリング機能も考慮した標準ズームを提供するものである。
【課題を解決するための手段】
【００１０】
上述した課題を解決し、目的を達成するために、本発明のズームレンズは、物体側より順に、負屈折力の第１レンズ群、正屈折力の第２レンズ群、正屈折力の第３レンズ群、負屈折力の第４レンズ群、正屈折力の第５レンズ群からなり、各群の間隔を変えて変倍を行うズームレンズにおいて、広角端から望遠端への変倍に際し、第１レンズ群と第２レンズ群の間隔は減少、第２レンズ群と第３レンズ群の間隔は変化、第３レンズ群と第４レンズ群の間隔は増大、第４レンズ群と第５レンズ群の間隔は増大する事を特徴とする。そして、後述の条件式（４Ａ）を満たすことを特徴とする。
【００１１】
本発明のズームレンズでは、像面補正機能を有する負屈折力の第１レンズ群と変倍機能を有する正屈折力の第３レンズ群以降との間に、正屈折力の第２レンズ群を配置している。この第２レンズ群は、広角側における周辺光束の光線高を下げ、第１レンズ群の外径を縮小する効果を有している。その結果、フィルター径を小さく成すことが可能でありレンズの小型化に寄与する。さらに、望遠側のＦナンバーが小さい時、絞り径を小さく成す効果がある。これによって、絞り周りの鏡枠外径を小型化できている。
【００１２】
さらに本発明のズームレンズでは、変倍作用は、主として第３レンズ群が担っているが、その負担が大きくなると、第３レンズ群の移動量が大きくなり大型化につながる、あるいは第３レンズ群の屈折力が強くなり、収差補正のバランスが崩れ好ましくない。そこで、第４レンズ群にも変倍作用を機能させており、第３レンズ群と第４レンズ群で適切に負担するようになっている。
【００１３】
また、本発明のズームレンズは、以下の条件式（１）、（２）、（３）を満たすことが好ましい。
１．２  ＜  β4t／β4w  ＜  ２．５  ・・・（１）
０．１  ＜  （ｄ34t  −  ｄ34w）／ｆw  ＜  １．５  ・・・（２）
０．４  ＜  （ｄ45t  −  ｄ45w）／ｆw  ＜  ３．２  ・・・（３）
但し、β4tは望遠端における前記第４レンズ群の横倍率、β4wは広角端における前記第４レンズ群の横倍率、
ｄ34wは広角端における前記第３レンズ群と前記第４レンズ群の空気間隔、ｄ34tは望遠端における前記第３レンズ群と前記第４レンズ群の空気間隔、ｄ45wは広角端における前記第４レンズ群と前記第５レンズ群の空気間隔、ｄ45tは望遠端における前記第４レンズ群と前記第５レンズ群の空気間隔、ｆwは広角端における全系焦点距離である。
【００１４】
（１）式の下限を超えると、第４レンズ群の増倍作用が弱くなり、変倍比を確保するべく第３レンズ群の屈折力が強くなりすぎ、収差補正のバランスがくずれたり、第３レンズの移動量を増加させたりすることで、レンズ全長が長くなってしまう。  また（１）式の上限を超えると、第４レンズ群の移動量が大きくなる、あるいは屈折力が強くなりすぎ、収差補正のバランスが崩れ、好ましくない。
【００１５】
（２）式と（３）式の下限を超えると、第４レンズ群の増倍作用が弱くなり、第４レンズ群のレンズ径が大きくなる。（２）式及び（３）式の上限を超えると、レンズ全長の増大につながり、好ましくない。
【００１６】
また、本発明のズームレンズは、以下の条件式（４）を満たすことが好ましい。
２．０  ＜  ｆ2  ／  ｆw  ＜  １３．０  ・・・（４）
但し、ｆ2は前記第２レンズ群の焦点距離である。
【００１７】
（４）式の下限を超えると、第２レンズ群の屈折力が強くなりすぎ、球面収差の補正が困難となる。また、（４）式の上限を超えると、第２レンズ群による小型化の効果が弱くなり、第１レンズ群の外径が大きくなり、絞り径も大きくなる事より好ましくない。
条件式（４）に代えて、以下の条件式（４Ａ）を満たすことが好ましい。
６．７１  ≦  ｆ2  ／  ｆw  ＜  １３．０  ・・・（４Ａ）
【００１８】
また、本発明のズームレンズは、以下の条件式（５）、（６）を満たすことが好ましい。
３  ＜  ｆt  ／  ｆw    ・・・（５）
１．０  ＜  ｆbw  ／  ｆw  ＜  １．９  ・・・（６）
但し、ｆt  は望遠端における全系焦点距離、ｆbwは広角端におけるバックフォーカスであり、空気中に在るものとする。
【００１９】
（５）式は変倍比に関するものであり、本発明の光学系の変倍比は３以上の高い変倍比に限定している。  また（６）式の下限を超えると、バックフォーカスが短くなりすぎ交換レンズシステムを満足できなくなる。  また、（６）式の上限を超えると、バックフォーカスが長くなってしまいレンズ全長の増大につながるので好ましくない。
【００２０】
また、本発明のズームレンズは、前記第１レンズ群は物体側より順に負の第１レンズ、負の第２レンズ、正の第３レンズを有し、前記第４レンズ群は多くとも３枚以下のレンズから成り、少なくとも物体側より順に正レンズ、負レンズを有し、以下の条件式（７）、（８）を満たすことが好ましい。
６０  ＜  ν12  ・・・（７）
５  ＜  ｜ν4p  −  ν4n｜  ＜  ２５  ・・・（８）
但し、ν12は前記第１レンズ群中の前記負の第２レンズのアッベ数、ν4pは前記第４レンズ群中の正レンズのアッベ数、ν4nは前記第４レンズ群中の負レンズのアッベ数である。
【００２１】
（７）式は、軸上色収差を補正するための条件式である。本発明のズームレンズは、中間焦点距離において軸上色収差が補正オーバーになり易いため、前記負の第２レンズの分散を抑えることで軸上色収差の補正を適切な範囲に抑えている。
【００２２】
（８）式は色収差の補正を適切な範囲に抑えるための式である。
（８）式の下限を超えると、色補正の効果が無くなる。（８）式の上限を超えると、他の群との補正バランスが崩れてしまう。
【００２３】
また、本発明のズームレンズは、無限遠物点から至近物点へのフォーカスに際し、第４レンズ群が移動する事が好ましい。
【００２４】
第４レンズ群をフォーカシング調節に使用することで、収差変動が小さくかつフォーカス機構も小さくすることができ、全系をコンパクトにすることができる。
【００２５】
また、本発明のズームレンズは、以下の条件式（９）を満たすことが好ましい。
１．０  ＜  ｜ｆ4  ／  ｆw｜  ＜  ７．０  ・・・（９）
但し、ｆ4は前記第４レンズ群の焦点距離である。
【００２６】
（９）式の下限を超えると、第４レンズ群の屈折力が強くなりすぎ、少ないレンズ枚数では十分な収差補正が出来なくなる。（９）式の上限を超えると、第４レンズ群の屈折力が弱くなりすぎて、移動量が大きくなり好ましくない。また収差変動も増加するので好ましくない。
【００２７】
また、参考例のズームレンズは物体側より順に、負屈折力の第１レンズ群、正屈折力の第２レンズ群、正屈折力の第３レンズ群、負屈折力の第４レンズ群、正屈折力の第５レンズ群を有し、各群の間隔を変えて変倍を行うズームレンズにおいて、無限遠物点から至近物点へのフォーカスに際し、第４群および第５群が独立に移動する構成とすることが好ましい。
【００２８】
フォーカス群は軽量化が求められるので、本発明では第２レンズ群や第５レンズ群によるフォーカスも可能であるが、第４レンズ群が収差変動も小さく、好ましいと言える。しかしながら、第４レンズ群によるフォーカスにおいて、広角側での像面湾曲の変動が大きく、広角端のＦナンバーが４程度であれば深度内に収まる程度であり問題ないと言えるが、Ｆナンバーが２．８クラスになると深度を越えてしまうため、第４レンズ群単独のフォーカスでは難しい。
【００２９】
そこで、Ｆナンバーの小さいレンズでは像面湾曲の変動を補正するため、第４レンズ群の移動と同時に、第５レンズ群も移動させるようにすると良い。この時、第４レンズ群は全ズーム域で像側へ移動するが、第５レンズ群に関しては、広角側では像側へ移動、望遠側では物体側へ移動し、途中の中間焦点距離では停止する場所があるように移動する。これにより、ズーム全域で無限から至近まで像面湾曲の変動を補正できる。
【００３０】
またフォーカス群を第４レンズ群とし、第５レンズ群をズームに際し固定する事は可能ではあり、このような場合、鏡枠構造の簡単化において有利である。  しかしながら本発明では、望遠側にて射出瞳位置が遠くなるため、第５レンズ群のレンズ径は望遠端の光束で決まっている。  そこで、広角端から望遠端へのズームにおいて、第５レンズ群を物体側へ移動させるようにすると、第５レンズ群のレンズ径を小さく出来るので小型化に有利である。
【００３１】
また、本発明のズームレンズは、以下の条件式（１０）を満たすことが好ましい。
０．４  ＜  △4w／△5w  ＜  ２．０  ・・・（１０）
但し、△4wは広角端における前記第４レンズ群のフォーカス移動量、△5wは広角端におけ
る前記第５レンズ群のフォーカス移動量であり、いずれも光軸方向への移動を正符号とする。
【００３２】
（１０）式の下限を超えて、第５レンズ群の移動量が大きくなると、広角端至近での像面湾曲が補正アンダーと成りすぎる。  逆に、（１０）式の上限を超えて、第５レンズ群の移動量が小さいと、像面湾曲が補正オーバーのままで不十分となる。
【００３３】
また、上述の各条件式については、更に以下のようにすることが好ましい。なお、各条件式の上限値のみ、もしくは下限値のみを新たな上限値、下限値としても良い。このようにすることで、各条件式で説明した効果をより有効に得ることができる。
【００３４】
また以下のように条件式を変更する事で、より好ましい構成となる。
１．３  ＜  β4t／β4w  ＜  １．８  ・・・（１）’
０．３  ＜  （ｄ34t  −  ｄ34w）／ｆw  ＜  １．０  ・・・（２）’
１．０  ＜  （ｄ45t  −  ｄ45w）／ｆw  ＜  ２．３  ・・・（３）’
５．０  ＜  ｆ2  ／  ｆw  ＜  １０．０  ・・・（４）’
３  ＜  ｆt  ／  ｆw    ・・・（５）’
１．３  ＜  ｆbw  ／  ｆw  ＜  １．７  ・・・（６）’
７０  ＜  ν12  ・・・（７）’
１０  ＜  ｜ν4p  −  ν4n｜  ＜  ２０  ・・・（８）’
２．４  ＜  ｜ｆ4  ／  ｆw｜  ＜  ６．１  ・・・（９）’
０．７  ＜  △4w／△5w  ＜  ２．０  ・・・（１０）’
【発明の効果】
【００３５】
本発明によれば、変倍比が３程度の標準ズームレンズにおいて、小型かつ明るく高画質であり、動画機能にも対応すべくウォブリング機能も考慮した標準ズームを提供することができる。
【図面の簡単な説明】
【００３６】
【図１】本発明のズームレンズに関する実施例１の無限遠物点合焦時の広角端（ａ）、中間状態（ｂ）、望遠端（ｃ）でのレンズ断面図である。
【図２】本発明のズームレンズに関する実施例１の至近（０．３５ｍ）物点合焦時の広角端（ａ）、中間状態（ｂ）、望遠端（ｃ）でのレンズ断面図である。
【図３】実施例１の無限遠物点合焦時の収差図である。
【図４】実施例１の至近（０．３５ｍ）物点合焦時の収差図である。
【図５】本発明のズームレンズに関する実施例２の無限遠物点合焦時の広角端（ａ）、中間状態（ｂ）、望遠端（ｃ）でのレンズ断面図である。
【図６】本発明のズームレンズに関する実施例２の至近（０．３５ｍ）物点合焦時の広角端（ａ）、中間状態（ｂ）、望遠端（ｃ）でのレンズ断面図である。
【図７】実施例２の無限遠物点合焦時の収差図である。
【図８】実施例２の至近（０．３５ｍ）物点合焦時の収差図である。
【図９】本発明のズームレンズに関する実施例３の無限遠物点合焦時の広角端（ａ）、中間状態（ｂ）、望遠端（ｃ）でのレンズ断面図である。
【図１０】本発明のズームレンズに関する実施例３の至近（０．３５ｍ）物点合焦時の広角端（ａ）、中間状態（ｂ）、望遠端（ｃ）でのレンズ断面図である。
【図１１】実施例３の無限遠物点合焦時の収差図である。
【図１２】実施例３の至近（０．３５ｍ）物点合焦時の収差図である。
【図１３】本発明のズームレンズに関する実施例４の無限遠物点合焦時の広角端（ａ）、中間状態（ｂ）、望遠端（ｃ）でのレンズ断面図である。
【図１４】本発明のズームレンズに関する実施例４の至近（０．３５ｍ）物点合焦時の広角端（ａ）、中間状態（ｂ）、望遠端（ｃ）でのレンズ断面図である。
【図１５】実施例４の無限遠物点合焦時の収差図である。
【図１６】実施例４の至近（０．３５ｍ）物点合焦時の収差図である。
【図１７】本発明のズームレンズに関する実施例５の無限遠物点合焦時の広角端（ａ）、中間状態（ｂ）、望遠端（ｃ）でのレンズ断面図である。
【図１８】本発明のズームレンズに関する実施例５の至近（０．３５ｍ）物点合焦時の広角端（ａ）、中間状態（ｂ）、望遠端（ｃ）でのレンズ断面図である。
【図１９】実施例５の無限遠物点合焦時の収差図である。
【図２０】実施例５の至近（０．３５ｍ）物点合焦時の収差図である。
【図２１】本発明のズームレンズに関する実施例６の無限遠物点合焦時の広角端（ａ）、中間状態（ｂ）、望遠端（ｃ）でのレンズ断面図である。
【図２２】本発明のズームレンズに関する実施例６の至近（０．３５ｍ）物点合焦時の広角端（ａ）、中間状態（ｂ）、望遠端（ｃ）でのレンズ断面図である。
【図２３】実施例６の無限遠物点合焦時の収差図である。
【図２４】実施例６の至近（０．３５ｍ）物点合焦時の収差図である。
【図２５】本発明のズームレンズに関する実施例７の無限遠物点合焦時の広角端（ａ）、中間状態（ｂ）、望遠端（ｃ）でのレンズ断面図である。
【図２６】本発明のズームレンズに関する実施例７の至近（０．３５ｍ）物点合焦時の広角端（ａ）、中間状態（ｂ）、望遠端（ｃ）でのレンズ断面図である。
【図２７】実施例７の無限遠物点合焦時の収差図である。
【図２８】実施例７の至近（０．３５ｍ）物点合焦時の収差図である。
【図２９】本発明のズームレンズに関する実施例８の無限遠物点合焦時の広角端（ａ）、中間状態（ｂ）、望遠端（ｃ）でのレンズ断面図である。
【図３０】本発明のズームレンズに関する実施例８の至近（０．３５ｍ）物点合焦時の広角端（ａ）、中間状態（ｂ）、望遠端（ｃ）でのレンズ断面図である。
【図３１】実施例８の無限遠物点合焦時の収差図である。
【図３２】実施例８の至近（０．３５ｍ）物点合焦時の収差図である。
【図３３】本発明のズームレンズに関する実施例９の無限遠物点合焦時の広角端（ａ）、中間状態（ｂ）、望遠端（ｃ）でのレンズ断面図である。
【図３４】本発明のズームレンズに関する実施例９の至近（０．３５ｍ）物点合焦時の広角端（ａ）、中間状態（ｂ）、望遠端（ｃ）でのレンズ断面図である。
【図３５】実施例９の無限遠物点合焦時の収差図である。
【図３６】実施例９の至近（０．３５ｍ）物点合焦時の収差図である。
【発明を実施するための形態】
【００３７】
本実施形態のズームレンズ及び撮像装置の構成による作用効果を説明する。なお、この実施形態によって本発明は限定されるものではない。すなわち、実施形態の説明に当たって、例示のために特定の詳細な内容が多く含まれるが、これらの詳細な内容に色々なバリエーションや変更を加えても、本発明の範囲を超えない。従って、以下で説明する本発明の例示的な実施形態は、権利請求された発明に対して、一般性を失わせることなく、また、何ら限定をすることもなく、述べられたものである
【００３８】
以下、本実施形態のズームレンズの実施例１〜９について説明する。ただし、実施例７、８は参考例である。実施例１〜９の無限遠物点合焦時の広角端（ａ）、中間焦点距離状態（ｂ）、望遠端（ｃ）のレンズ断面図をそれぞれ図１、図５、図９、図１３、図１７、図２１、図２５、図２９、図３３に、実施例１〜９の至近（０．３５ｍ）物点合焦時の広角端（ａ）、中間焦点距離状態（ｂ）、望遠端（ｃ）のレンズ断面図をそれぞれ図２、図６、図１０、図１４、図１８、図２２、図２６、図３０、図３４に示す。  図１、図５、図９、図１３、図１７、図２１、図２５、図２９、図３３、図２、図６、図１０、図１４、図１８、図２２、図２６、図３０、図３４中、第１レンズ群はＧ１、第２レンズ群はＧ２、明るさ（開口）絞りはＳ、第３レンズ群はＧ３、第４レンズ群はＧ４、第５レンズ群はＧ５、電子撮像素子のカバーガラスの平行平板はＣ、像面はＩで示してある。なお、カバーガラスＣの表面に波長域制限用の多層膜を施してもよい。また、そのカバーガラスＣにローパスフィルタ作用を持たせるようにしてもよい。
【００３９】
数値データはいずれも無限遠の被写体に合焦した状態でのデータである。各数値の長さの単位はｍｍ、角度の単位は°（度）である。さらに、ズームデータは広角端、中間焦点距離状態、望遠端での値である。また、屈折力の正負は、近軸曲率半径に基づく。
【００４０】
また、ゴーストやフレア等の不要光をカットするために、明るさ絞り以外にフレア絞りを配置してもかまわない。フレア絞りは、第１レンズ群の物体側、第１レンズ群と２レンズ群の間、第２レンズ群と３レンズ群の間、第３レンズ群と４レンズ群の間、第４レンズ群と５レンズ群の間、第５レンズ群と像面の間のいずれの場所に配置しても良い。枠部材によりフレア光線をカットするように構成しても良いし、別の部材を構成しても良い。また光学系に直接印刷しても塗装してもシールなどを接着してもかまわない。またその形状は円形、楕円形、矩形、多角形、関数曲線で囲まれる範囲等、いかなる形状でもかまわない。また有害光束をカットするだけでなく画面周辺のコマフレア等の光束をカットしても良い。
【００４１】
また、各レンズには反射防止コートを行い、ゴーストやフレアを軽減してもかまわない。反射防止コートがマルチコートであれば、効果的にゴーストやフレアを軽減できる。ゴーストやフレアの発生を防止するためにレンズの空気接触面に反射防止コートを施すことは一般的に行われている。また赤外カットコートをレンズ面やカバーガラスの表面に施してもかまわない。
【００４２】
一方、接合レンズの接合面では、接着材の屈折率が空気の屈折率よりも十分高い。そのため、接合面での反射率は、もともと単層コート並みか、あるいはそれ以下となっていることが多い。そのため、接合レンズの接合面にあえて反射防止コートを施すことは少ない。しかしながら、接合面にも積極的に反射防止コートを施せば、さらにゴーストやフレアを軽減することができる。その結果、より良好な画像を得ることができるようになる。
【００４３】
特に、最近になって普及してきた高屈折率硝材は、収差補正効果が高い。そのため、高屈折率硝材はカメラ光学系に多用されるようになってきている。ただし、高屈折率硝材を接合レンズとして用いた場合、接合面での反射も無視できなくなってくる。そのような場合、接合面に反射防止コートを施しておくことは特に効果的である。接合面コートの効果的な使用法に関しては、特開平２−２７３０１号公報、特開２００１−３２４６７６号公報、特開２００５−９２１１５号公報、米国特許第７１１６４８２号明細書等の特許文献に開示されている。
【００４４】
これらの特許文献のズームレンズは正先行型のズームレンズで、第１レンズ群内の接合レンズ面コートについて述べられている。本実施形態の正屈折力の第１レンズ群内の接合レンズ面についてもこれら文献に開示されているごとく実施すればよい。使用するコート材としては、基盤となるレンズの屈折率と接着材の屈折率に応じて、比較的高屈折率なTa2O5、TiO2、Nb2O5、ZrO2、HfO2、CeO2、SnO2、In2O3、ZnO、Y2O3などのコート材、比較的低屈折率なMgF2、SiO2、Al2O3などのコート材、などを適宜選択し、位相条件を満たすような膜厚に設定すれば良い。
【００４５】
当然のことながら、レンズの空気接触面へのコーティング同様、接合面コートをマルチコートとしても良い。２層あるいはそれ以上の膜数のコート材や膜厚を適宜組み合わせることで、更なる反射率の低減や、反射率の分光特性・角度特性等のコントロールなどを行うことが可能となる。また第１レンズ群以外のレンズ接合面についても、同様の思想に基づいて接合面コートを行うことが効果的なのは言うまでもない。
【００４６】
実施例１のズームレンズは、図１に示すように、物体側から順に、負の屈折力の第１レンズ群Ｇ１と、正の屈折力の第２レンズ群Ｇ２と、明るさ絞りＳを含む正の屈折力の第３レンズ群Ｇ３と、負の屈折力の第４レンズ群Ｇ４と、正の屈折力の第５レンズ群Ｇ５とを有している。
【００４７】
広角端から望遠端にかけての変倍時、第１レンズ群Ｇ１は像側に移動した後、物体側に移動する。第２レンズ群Ｇ２は像側に移動した後、物体側に移動する。第３レンズ群Ｇ３は物体側へ移動する。第４レンズ群Ｇ４は物体側に移動する。第５レンズ群Ｇ５は物体側に移動した後、像側に移動する。よって、レンズ群の間隔は、第１レンズ群Ｇ１と第２レンズ群Ｇ２との間隔が変化し、第２レンズ群Ｇ２と第３レンズ群Ｇ３との間隔が変化し、第３レンズ群Ｇ３と第４レンズ群Ｇ４との間隔が変化し、第４レンズ群Ｇ４と第５レンズ群Ｇ５との間隔が変化する。
【００４８】
物体側から順に、第１レンズ群Ｇ１は、物体側に凸面を向けた負メニスカスレンズと、両凹負レンズと、物体側に凸面を向けた正メニスカスレンズとからなる。第２レンズ群Ｇ２は、両凸正レンズと物体側に凹面を向けた負メニスカスレンズの接合レンズとからなる。第３レンズ群Ｇ３は、物体側に凸面を向けた正メニスカスレンズと、開口絞りと、物体側に凸面を向けた正メニスカスレンズと、両凸正レンズと、両凹負レンズと、両凸正レンズとからなる。第４レンズ群Ｇ４は、両凸正レンズと両凹負レンズの接合レンズとからなる。第５レンズ群Ｇ５は、両凸正レンズからなる。
【００４９】
非球面は、第１レンズ群の物体側に凸面を向けた負メニスカスレンズの両面と、第３レンズ群の最も物体側に存在する物体側に凸面を向けた正メニスカスレンズの物体側面と、第３レンズ群の最も像面側に存在する両凸正レンズの両面との５面に用いている。
なお、フォーカスレンズは第４レンズ群Ｇ４と第５レンズ群Ｇ５が独立に移動し、ウォブリングレンズは第４レンズ群Ｇ４である。
【００５０】
実施例２のズームレンズは、図５に示すように、物体側から順に、負の屈折力の第１レンズ群Ｇ１と、正の屈折力の第２レンズ群Ｇ２と、明るさ絞りＳを含む正の屈折力の第３レンズ群Ｇ３と、負の屈折力の第４レンズ群Ｇ４と、正の屈折力の第５レンズ群Ｇ５とを有している。
【００５１】
広角端から望遠端にかけての変倍時、第１レンズ群Ｇ１は像側に移動した後、物体側に移動する。第２レンズ群Ｇ２は像側に移動した後、物体側に移動する。第３レンズ群Ｇ３は物体側へ移動する。第４レンズ群Ｇ４は物体側に移動する。第５レンズ群Ｇ５は物体側に移動した後、像側に移動する。よって、レンズ群の間隔は、第１レンズ群Ｇ１と第２レンズ群Ｇ２との間隔が変化し、第２レンズ群Ｇ２と第３レンズ群Ｇ３との間隔が変化し、第３レンズ群Ｇ３と第４レンズ群Ｇ４との間隔が変化し、第４レンズ群Ｇ４と第５レンズ群Ｇ５との間隔が変化する。
【００５２】
物体側から順に、第１レンズ群Ｇ１は、物体側に凸面を向けた負メニスカスレンズと、両凹負レンズと、物体側に凸面を向けた正メニスカスレンズとからなる。第２レンズ群Ｇ２は、両凸正レンズと、物体側に凹面を向けた正メニスカスレンズと物体側に凹面を向けた負メニスカスレンズの接合レンズとからなる。第３レンズ群Ｇ３は、両凸正レンズと、開口絞りと、両凸正レンズと、両凸正レンズと、両凹負レンズと、両凸正レンズとからなる。第４レンズ群Ｇ４は、物体側に凸面を向けた負メニスカスレンズと、物体側に凸面を向けた正メニスカスレンズと物体側に凸面を向けた負メニスカスレンズの接合レンズとからなる。第５レンズ群Ｇ５は、両凸正レンズからなる。
【００５３】
非球面は、第１レンズ群の物体側に凸面を向けた負メニスカスレンズの両面と、第３レンズ群の最も物体側に存在する両凸正レンズの物体側面と、第３レンズ群の最も像面側に存在する両凸正レンズの両面との５面に用いている。
なお、フォーカスレンズは第４レンズ群Ｇ４と第５レンズ群Ｇ５が独立に移動し、ウォブリングレンズは第４レンズ群Ｇ４である。
【００５４】
実施例３のズームレンズは、図９に示すように、物体側から順に、負の屈折力の第１レンズ群Ｇ１と、正の屈折力の第２レンズ群Ｇ２と、明るさ絞りＳを含む正の屈折力の第３レンズ群Ｇ３と、負の屈折力の第４レンズ群Ｇ４と、正の屈折力の第５レンズ群Ｇ５とを有している。
【００５５】
広角端から望遠端にかけての変倍時、第１レンズ群Ｇ１は像側に移動した後、物体側に移動する。第２レンズ群Ｇ２は物体側に移動する。第３レンズ群Ｇ３は物体側へ移動する。第４レンズ群Ｇ４は物体側に移動する。第５レンズ群Ｇ５は物体側に移動する。よって、レンズ群の間隔は、第１レンズ群Ｇ１と第２レンズ群Ｇ２との間隔が変化し、第２レンズ群Ｇ２と第３レンズ群Ｇ３との間隔が変化し、第３レンズ群Ｇ３と第４レンズ群Ｇ４との間隔が変化し、第４レンズ群Ｇ４と第５レンズ群Ｇ５との間隔が変化する。
【００５６】
物体側から順に、第１レンズ群Ｇ１は、物体側に凸面を向けた負メニスカスレンズと、両凹負レンズと、物体側に凸面を向けた正メニスカスレンズとからなる。第２レンズ群Ｇ２は、物体側に凸面を向けた正平レンズと、物体側に凹面を向けた正メニスカスレンズと、物体側に凹面を向けた負メニスカスレンズとからなる。第３レンズ群Ｇ３は、開口絞りと、物体側に凹面を向けた正メニスカスレンズと、物体側に凹面を向けた正メニスカスレンズと両凹負レンズの接合レンズと、両凸正レンズと、両凹負レンズと、両凸正レンズと、両凸正レンズとからなる。第４レンズ群Ｇ４は、物体側に凸面を向けた負メニスカスレンズと物体側に凸面を向けた正メニスカスレンズの接合レンズとからなる。第５レンズ群Ｇ５は、両凸正レンズからなる。
【００５７】
非球面は、第１レンズ群の物体側に凸面を向けた負メニスカスレンズの両面と、第３レンズ群の最も物体側に存在する物体側に凹面を向けた正メニスカスレンズの両面と、第３レンズ群の最も像面側に存在する両凸正レンズの物体側面との５面に用いている。
なお、フォーカスレンズは第４レンズ群Ｇ４と第５レンズ群Ｇ５が独立に移動し、ウォブリングレンズは第４レンズ群Ｇ４である。
【００５８】
実施例４のズームレンズは、図１３に示すように、物体側から順に、負の屈折力の第１レンズ群Ｇ１と、正の屈折力の第２レンズ群Ｇ２と、明るさ絞りＳを含む正の屈折力の第３レンズ群Ｇ３と、負の屈折力の第４レンズ群Ｇ４と、正の屈折力の第５レンズ群Ｇ５とを有している。
【００５９】
広角端から望遠端にかけての変倍時、第１レンズ群Ｇ１は像側に移動した後、物体側に移動する。第２レンズ群Ｇ２は物体側に移動する。第３レンズ群Ｇ３は物体側へ移動する。第４レンズ群Ｇ４は物体側に移動する。第５レンズ群Ｇ５は物体側に移動する。よって、レンズ群の間隔は、第１レンズ群Ｇ１と第２レンズ群Ｇ２との間隔が変化し、第２レンズ群Ｇ２と第３レンズ群Ｇ３との間隔が変化し、第３レンズ群Ｇ３と第４レンズ群Ｇ４との間隔が変化し、第４レンズ群Ｇ４と第５レンズ群Ｇ５との間隔が変化する。
【００６０】
物体側から順に、第１レンズ群Ｇ１は、物体側に凸面を向けた負メニスカスレンズと、両凹負レンズと、物体側に凸面を向けた正メニスカスレンズとからなる。第２レンズ群Ｇ２は、両凸正レンズと、両凸正レンズと、両凹負レンズとからなる。第３レンズ群Ｇ３は、開口絞りと、両凸正レンズと、両凹負レンズと、両凸正レンズと、両凸正レンズと両凹負レンズの接合レンズと、両凸正レンズとからなる。第４レンズ群Ｇ４は、物体側に凸面を向けた負メニスカスレンズと物体側に凸面を向けた正メニスカスレンズの接合レンズとからなる。第５レンズ群Ｇ５は、両凸正レンズからなる。
【００６１】
非球面は、第１レンズ群の物体側に凸面を向けた負メニスカスレンズの両面と、第２レンズ群の物体側から２枚目の両凸正レンズの両面と、第３レンズ群の物体面側から見て、両凸正レンズ、両凹負レンズの次に配置される両凸正レンズの両面の６面に用いている。
なお、フォーカスレンズは第４レンズ群Ｇ４と第５レンズ群Ｇ５が独立に移動し、ウォブリングレンズは第４レンズ群Ｇ４である。
【００６２】
実施例５のズームレンズは、図１７に示すように、物体側から順に、負の屈折力の第１レンズ群Ｇ１と、正の屈折力の第２レンズ群Ｇ２と、明るさ絞りＳを含む正の屈折力の第３レンズ群Ｇ３と、負の屈折力の第４レンズ群Ｇ４と、正の屈折力の第５レンズ群Ｇ５とを有している。
【００６３】
広角端から望遠端にかけての変倍時、第１レンズ群Ｇ１は像側に移動した後、物体側に移動する。第２レンズ群Ｇ２は物体側に移動する。第３レンズ群Ｇ３は物体側へ移動する。第４レンズ群Ｇ４は物体側に移動する。第５レンズ群Ｇ５は物体側に移動する。よって、レンズ群の間隔は、第１レンズ群Ｇ１と第２レンズ群Ｇ２との間隔が変化し、第２レンズ群Ｇ２と第３レンズ群Ｇ３との間隔が変化し、第３レンズ群Ｇ３と第４レンズ群Ｇ４との間隔が変化し、第４レンズ群Ｇ４と第５レンズ群Ｇ５との間隔が変化する。
【００６４】
物体側から順に、第１レンズ群Ｇ１は、物体側に凸面を向けた負メニスカスレンズと、両凹負レンズと、物体側に凸面を向けた正メニスカスレンズとからなる。第２レンズ群Ｇ２は、両凸正レンズと、両凹負レンズとからなる。第３レンズ群Ｇ３は、両凸正レンズと、開口絞りと、両凹負レンズと、両凸正レンズと、両凸正レンズと物体側に凹面を向けた負メニスカスレンズの接合レンズと、両凸正レンズとからなる。第４レンズ群Ｇ４は、両凸正レンズと両凹負レンズの接合レンズとからなる。第５レンズ群Ｇ５は、両凸正レンズからなる。
【００６５】
非球面は、第１レンズ群の物体側に凸面を向けた負メニスカスレンズの両面と、第２レンズ群の最も物体側に存在する両凸正レンズの両面と、第３レンズ群の物体面側から見て、両凸正レンズ、両凹負レンズの次に配置される両凸正レンズの両面の６面に用いている。
なお、フォーカスレンズは第４レンズ群Ｇ４と第５レンズ群Ｇ５が独立に移動し、ウォブリングレンズは第４レンズ群Ｇ４である。
【００６６】
実施例６のズームレンズは、図２１に示すように、物体側から順に、負の屈折力の第１レンズ群Ｇ１と、正の屈折力の第２レンズ群Ｇ２と、明るさ絞りＳを含む正の屈折力の第３レンズ群Ｇ３と、負の屈折力の第４レンズ群Ｇ４と、正の屈折力の第５レンズ群Ｇ５とを有している。
【００６７】
広角端から望遠端にかけての変倍時、第１レンズ群Ｇ１は像側に移動した後、物体側に移動する。第２レンズ群Ｇ２は物体側に移動する。第３レンズ群Ｇ３は物体側へ移動する。第４レンズ群Ｇ４は物体側に移動する。第５レンズ群Ｇ５は物体側に移動する。よって、レンズ群の間隔は、第１レンズ群Ｇ１と第２レンズ群Ｇ２との間隔が変化し、第２レンズ群Ｇ２と第３レンズ群Ｇ３との間隔が変化し、第３レンズ群Ｇ３と第４レンズ群Ｇ４との間隔が変化し、第４レンズ群Ｇ４と第５レンズ群Ｇ５との間隔が変化する。
【００６８】
物体側から順に、第１レンズ群Ｇ１は、物体側に凸面を向けた負メニスカスレンズと、両凹負レンズと、物体側に凸面を向けた正メニスカスレンズとからなる。第２レンズ群Ｇ２は、両凸正レンズと、物体側に凹面を向けた負メニスカスレンズとからなる。第３レンズ群Ｇ３は、両凸正レンズと、開口絞りと、両凹負レンズと、両凸正レンズと、両凸正レンズとからなる。第４レンズ群Ｇ４は、両凸正レンズと両凹負レンズの接合レンズとからなる。第５レンズ群Ｇ５は、両凸正レンズからなる。
【００６９】
非球面は、第１レンズ群の物体側に凸面を向けた負メニスカスレンズの両面と、第２レンズ群の最も物体側に存在する両凸正レンズの両面と、第３レンズ群の物体面側から見て、両凸正レンズ、両凹負レンズの次に配置される両凸正レンズの両面の６面に用いている。
なお、フォーカスレンズとウォブリングレンズともに第４レンズ群Ｇ４である。
【００７０】
実施例７のズームレンズは、図２５に示すように、物体側から順に、負の屈折力の第１レンズ群Ｇ１と、正の屈折力の第２レンズ群Ｇ２と、明るさ絞りＳを含む正の屈折力の第３レンズ群Ｇ３と、負の屈折力の第４レンズ群Ｇ４と、正の屈折力の第５レンズ群Ｇ５とを有している。
【００７１】
広角端から望遠端にかけての変倍時、第１レンズ群Ｇ１は像側に移動した後、物体側に移動する。第２レンズ群Ｇ２は物体側に移動する。第３レンズ群Ｇ３は物体側へ移動する。第４レンズ群Ｇ４は物体側に移動する。第５レンズ群Ｇ５は物体側に移動する。よって、レンズ群の間隔は、第１レンズ群Ｇ１と第２レンズ群Ｇ２との間隔が変化し、第２レンズ群Ｇ２と第３レンズ群Ｇ３との間隔が変化し、第３レンズ群Ｇ３と第４レンズ群Ｇ４との間隔が変化し、第４レンズ群Ｇ４と第５レンズ群Ｇ５との間隔が変化する。
【００７２】
物体側から順に、第１レンズ群Ｇ１は、物体側に凸面を向けた負メニスカスレンズと、物体側に凸面を向けた負メニスカスレンズと、物体側に凸面を向けた正メニスカスレンズとからなる。第２レンズ群Ｇ２は、両凸正レンズと、物体側に凹面を向けた負メニスカスレンズとからなる。第３レンズ群Ｇ３は、物体側に凸面を向けた正メニスカスレンズと、開口絞りと、両凹負レンズと、両凸正レンズと、両凸正レンズとからなる。第４レンズ群Ｇ４は、両凹負レンズからなる。第５レンズ群Ｇ５は、両凸正レンズからなる。
【００７３】
非球面は、第１レンズ群の物体側に凸面を向けた負メニスカスレンズの両面と、第２レンズ群の最も物体側に存在する両凸正レンズの両面と、第３レンズ群の物体面側から見て、両凸正レンズ、両凹負レンズの次に配置される両凸正レンズの両面の６面に用いている。
なお、フォーカスレンズは第５レンズ群Ｇ５であり、ウォブリングレンズは第４レンズ群Ｇ４である。
【００７４】
実施例８のズームレンズは、図２９に示すように、物体側から順に、負の屈折力の第１レンズ群Ｇ１と、正の屈折力の第２レンズ群Ｇ２と、明るさ絞りＳを含む正の屈折力の第３レンズ群Ｇ３と、負の屈折力の第４レンズ群Ｇ４と、正の屈折力の第５レンズ群Ｇ５とを有している。
【００７５】
広角端から望遠端にかけての変倍時、第１レンズ群Ｇ１は像側に移動した後、物体側に移動する。第２レンズ群Ｇ２は物体側に移動する。第３レンズ群Ｇ３は物体側へ移動する。第４レンズ群Ｇ４は物体側に移動する。第５レンズ群Ｇ５は物体側に移動する。よって、レンズ群の間隔は、第１レンズ群Ｇ１と第２レンズ群Ｇ２との間隔が変化し、第２レンズ群Ｇ２と第３レンズ群Ｇ３との間隔が変化し、第３レンズ群Ｇ３と第４レンズ群Ｇ４との間隔が変化し、第４レンズ群Ｇ４と第５レンズ群Ｇ５との間隔が変化する。
【００７６】
物体側から順に、第１レンズ群Ｇ１は、物体側に凸面を向けた負メニスカスレンズと、物体側に凸面を向けた負メニスカスレンズと、物体側に凸面を向けた正メニスカスレンズとからなる。第２レンズ群Ｇ２は、両凸正レンズと、物体側に凸面を向けた負メニスカスレンズとからなる。第３レンズ群Ｇ３は、物体側に凸面を向けた正メニスカスレンズと、開口絞りと、両凹負レンズと、両凸正レンズと、物体側に凸面を向けた負メニスカスレンズと両凸正レンズの接合レンズからなる。第４レンズ群Ｇ４は、物体側に凹面を向けた負メニスカスレンズからなる。第５レンズ群Ｇ５は、両凸正レンズからなる。
【００７７】
非球面は、第１レンズ群の物体側に凸面を向けた負メニスカスレンズの両面と、第２レンズ群の最も物体側に存在する両凸正レンズの物体側面と、第３レンズ群の最も物体側に存在する物体側に凸面を向けた正メニスカスレンズの物体側面と、その後の両凹負レンズの次に配置される両凸正レンズの両面の６面に用いている。
なお、フォーカスレンズは第２レンズ群Ｇ２であり、ウォブリングレンズは第４レンズ群Ｇ４である。
【００７８】
実施例９のズームレンズは、図３３に示すように、物体側から順に、負の屈折力の第１レンズ群Ｇ１と、正の屈折力の第２レンズ群Ｇ２と、明るさ絞りＳを含む正の屈折力の第３レンズ群Ｇ３と、負の屈折力の第４レンズ群Ｇ４と、正の屈折力の第５レンズ群Ｇ５とを有している。
【００７９】
広角端から望遠端にかけての変倍時、第１レンズ群Ｇ１は像側に移動した後、物体側に移動する。第２レンズ群Ｇ２は物体側に移動する。第３レンズ群Ｇ３は物体側へ移動する。第４レンズ群Ｇ４は物体側に移動する。第５レンズ群Ｇ５は物体側に移動する。よって、レンズ群の間隔は、第１レンズ群Ｇ１と第２レンズ群Ｇ２との間隔が変化し、第２レンズ群Ｇ２と第３レンズ群Ｇ３との間隔が変化し、第３レンズ群Ｇ３と第４レンズ群Ｇ４との間隔が変化し、第４レンズ群Ｇ４と第５レンズ群Ｇ５との間隔が変化する。
【００８０】
物体側から順に、第１レンズ群Ｇ１は、物体側に凸面を向けた負メニスカスレンズと、物体側に凸面を向けた負メニスカスレンズと、物体側に凸面を向けた正メニスカスレンズとからなる。第２レンズ群Ｇ２は、両凸正レンズと、物体側に凹面を向けた負メニスカスレンズとからなる。第３レンズ群Ｇ３は、両凸正レンズと、開口絞りと、両凹負レンズと、両凸正レンズと、物体側に凸面を向けた正メニスカスレンズとからなる。第４レンズ群Ｇ４は、両凸正レンズと両凹負レンズの接合レンズとからなる。第５レンズ群Ｇ５は、両凸正レンズからなる。
【００８１】
非球面は、第１レンズ群の物体側に凸面を向けた負メニスカスレンズの両面と、第２レンズ群の最も物体側に存在する両凸正レンズの両面と、第３レンズ群の物体面側から見て、両凸正レンズ、両凹負レンズの次に配置される両凸正レンズの両面の６面に用いている。
なお、フォーカスレンズは第４レンズ群Ｇ４と第５レンズ群Ｇ５が独立に移動し、ウォブリングレンズは第４レンズ群Ｇ４である。
【００８２】
以下に、上記各実施例の数値データを示す。記号は上記の外、ｆは全系焦点距離、ｆｂはバックフォーカス、ｆ１、ｆ２…は各レンズ群の焦点距離、ＩＨ（FIY）は像高、Ｆno.はＦナンバー、ωは半画角、広角は広角端、中間は中間焦点距離状態、望遠は望遠端、ｒは各レンズ面の曲率半径、ｄは各レンズ面間の間隔、ｎｄは各レンズのｄ線の屈折率、νｄは各レンズのアッベ数である。後述する全長は、レンズ最前面からレンズ最終面までの距離にバックフォーカスを加えたものである。ｆｂ（バックフォーカス）は、レンズ最終面から近軸像面までの距離を空気換算して表したものである。
【００８３】
なお、非球面形状は、ｘを光の進行方向を正とした光軸とし、ｙを光軸と直交する方向にとると、下記の式にて表される。
【００８４】
ｘ＝（ｙ2／ｒ）／［１＋｛１−（Ｋ＋１）（ｙ／ｒ）2｝1/2］
＋Ａ4ｙ4＋Ａ6ｙ6＋Ａ8ｙ8＋Ａ10ｙ10＋Ａ12ｙ12
ただし、ｒは近軸曲率半径、Ｋは円錐係数、Ａ4、Ａ6、Ａ8、Ａ10、Ａ12はそれぞれ４次、６次、８次、１０次、１２次の非球面係数である。また、非球面係数において、「ｅ−ｎ」（ｎは整数）は、「１０-n」を示している。
【００８５】
数値実施例１
単位  ｍｍ
面データ
面番号      r          d         nd        νd 
物面       ∞         ∞
1      60.5835     3.000    1.80610    40.92
2      17.0000    13.062
3     -52.1483     2.200    1.48749    70.23
4      36.0857     1.274
5      37.6315     3.904    1.92286    18.90
6     120.5021     可変
7      60.5278     6.628    1.73800    32.26
8     -29.7557     1.567    2.00069    25.46
9   -2077.5140     可変
10      25.2818     5.526    1.58313    59.38 
11     186.2490     2.108
12      絞り        2.362
13      25.5283     5.477    1.49700    81.54 
14    1047.3915     0.150 
15      44.5072     5.250    1.49700    81.54 
16     -37.8231     0.100
17     -36.2454     1.400    1.73800    32.26 
18      15.8354     3.660
19      23.6072     3.805    1.80610    40.92 
20    -212.0230     可変
21      59.7094     1.824    1.92286    18.90 
22    -230.3045     1.200    1.90366    31.32 
23      22.2311     可変
24      40.0940     4.470    1.49700    81.54 
25     -60.7372     可変
26        ∞        4.000   1.51633     64.14 
27        ∞        0.800
非球面データ
第１面
k=-0.5014
第２面
k=-1.0036
A4=1.0637e-05,A6=1.0242e-08
第１０面
k=0.000
A4=-5.5983e-06,A6=-9.5203e-10,A8=-2.6951e-13
第１９面
k=0.000
A4=-5.8200e-07,A6=5.2931e-08,A8=-2.3156e-10
第２０面
k=0.000
A4=1.1245e-05,A6=5.6368e-08,A8=-3.4377e-10
ズームデータ
無限                          至近（０．３５ｍ）
広角      中間      望遠      広角      中間      望遠
焦点距離          12.249    21.897    39.081    12.099    21.376    37.934
Ｆno.              2.88      2.88      2.88      2.85      2.81      2.81
画角２ω          85.27     52.86     30.85     85.00     52.55     31.13
fb (in air)       16.194    17.958    16.192    15.412    18.267    18.067
全長 (in air)    140.24    122.13    131.16    140.25    122.13    131.15
d6                19.9477   10.1451    3.8548   19.9477   10.1451    3.8548
d9                30.1701    8.9967    1.5000   30.1701    8.9967    1.5000
d20                1.5000    5.8558   11.7363    2.8888    7.4894   14.7738
d23                2.1027    8.8471   27.5524    1.5007    6.8993   22.6235
d25               12.7560   14.5200   12.7543   11.9744   14.8288   14.6290
群焦点距離
f1=-24.82    f2=236.25    f3=30.26    f4=-41.47    f5=49.32
【００８６】
数値実施例２
単位  ｍｍ
面データ
面番号      r          d         nd        νd 
物面       ∞         ∞
1      58.6864     3.000    1.80610    40.92
2      17.0000    12.928
3     -53.5699     2.200    1.48749    70.23
4      30.5832     0.911
5      33.7368     3.537    1.92286    18.90
6      74.6324     可変
7      38.2052     3.585    1.74950    35.28
8    -205.1167     2.914
9     -68.7869     2.125      1.83481    42.71
10     -35.0421     1.400    2.00069    25.46
11    -293.5777     可変
12      32.3812     4.371    1.58313    59.38
13    -892.4044     1.400
14      絞り        3.166
15      33.8195     4.800    1.49700    81.54
16    -124.5967     0.243
17     654.4080     4.261    1.49700    81.54
18     -29.2764     0.150
19     -28.1624     1.400    1.73800    32.26
20      27.3034     2.628
21      45.5795     4.138    1.80610    40.92
22     -42.0061     可変
23      68.9760     1.200    1.84666    23.78
24      15.8735     0.150
25      15.8965     2.304    1.92286    18.90
26      36.3624     1.200    1.90366    31.32
27      20.5290     可変
28      48.0701     4.484    1.49700    81.54
29     -48.2908     可変
30        ∞        4.000   1.51633     64.14 
31        ∞        0.800
像面(撮像面) ∞
非球面データ
第１面
k=-0.3761
第２面
k=-0.7340
A4=4.9746e-06,A6=6.0663e-09
第１２面
k=0.000
A4=-7.1874e-06,A6=-3.9355e-09,A8=1.6496e-11
第２１面
k=0.000
A4=-1.2967e-05,A6=1.1846e-08,A8=5.0416e-11
第２２面
k=0.000
A4=-2.8376e-06,A6=1.0849e-09,A8=3.7505e-11
ズームデータ
無限                          至近（０．３５ｍ）
広角      中間      望遠      広角      中間      望遠
焦点距離          12.247    21.900    39.094    12.091    21.402    38.667
Ｆno.              2.88      2.88      2.88      2.84      2.82      2.86
画角２ω          85.28     52.66     30.86     85.09     52.34     30.64
fb (in air)       16.198    18.483    17.260    15.611    18.393    17.750
全長 (in air)    140.24    120.10    130.36    140.25    120.09    130.34
d6                24.7170    8.1251    1.5000   24.7170    8.1251    1.5000
d11               25.6827    8.4326    1.5000   25.6827    8.4326    1.5000
d21                1.5000    6.6593   12.5996    2.6399    8.3695   15.8123
d27                2.2897    8.5423   27.6386    1.7387    6.9160   23.9180
d29               12.7595   15.0448   13.8225   12.1731   14.9552   14.3125
群焦点距離
f1=-21.55    f2=90.00    f3=30.23    f4=-38.81    f5=49.23
【００８７】
数値実施例３
単位  ｍｍ
面データ
面番号      r          d         nd        νd 
物面       ∞         ∞
1      67.7643     3.000    1.80610    40.92
2      17.0000    11.658
3    -142.3447     2.200    1.48749    70.23
4      27.5273     0.469
5      29.6830     4.158    1.92286    18.90
6      66.1737     可変
7      29.7146     3.509    1.90366    31.32
8        ∞        2.318
9     -48.6663     2.180      1.69895    30.13
10     -32.9305     0.983
11     -34.2197     1.400    1.92286    18.90
12     260.9474     可変
13      絞り        1.000
14   -2252.2025     2.770    1.58313    59.38
15     -40.1104     1.255
16     -99.7019     4.638    2.00069    25.46
17     -19.6495     1.400    1.73800    32.26
18      54.3929     0.150
19      22.1463     7.939    1.49700    81.54
20     -33.6050     0.679
21     -32.8795     1.400    1.73800    32.26
22      31.8903     0.150
23      23.3029     6.102    1.49700    81.54
24     -37.3171     0.150
25      74.4593     1.912    1.80610    40.92
26    -476.0275     可変
27      77.9333     1.000    1.80100    34.97
28      13.9062     2.792    1.92286    18.90
29      20.1990     可変
30      44.1302     3.306    1.49700    81.54
31    -168.3136     可変
32        ∞        4.000   1.51633     64.14 
33        ∞        0.800
像面(撮像面) ∞
非球面データ
第１面
k=-0.8522
A4=-3.1726e-06,A6=2.0546e-09
第２面
k=-0.5472
A4=-6.7600e-06,A6=-1.3873e-08
第１４面
k=0.000
A4=-6.3467e-06,A6=6.3592e-08,A8=-3.2912e-11
第１５面
k=0.000
A4=1.6865e-05,A6=6.4131e-08
第２５面
k=0.000
A4=-1.2756e-05,A6=-3.9311e-08,A8=-1.5242e-10
ズームデータ
無限                          至近（０．３５ｍ）
広角      中間      望遠      広角      中間      望遠
焦点距離          12.254    21.906    39.081    12.036    21.441    38.807
Ｆno.              2.88      2.88      2.88      2.83      2.82      2.73
画角２ω          85.03     53.10     31.07     85.30     52.93     31.45
fb (in air)       17.815    21.455    27.288    15.729    21.378    32.808
全長 (in air)    142.12    130.67    133.80    142.12    130.66    133.78
d6                37.7235   15.2913    1.5239   37.7235   15.2913    1.5239
d12               13.7027    7.5842    1.5000   13.7027    7.5842    1.5000
d26                1.5000    1.5000    5.9784    3.1924    2.6702    7.0227
d29                1.5004   14.9595   27.6290    1.8946   13.8573   21.0437
d31               14.3772   18.0170   23.8499   12.2907   17.9401   29.3703
群焦点距離
f1=-24.88    f2=90.20    f3=27.18    f4=-39.72    f5=70.71
【００８８】
数値実施例４
単位  ｍｍ
面データ
面番号      r          d         nd        νd 
物面       ∞         ∞
1      58.4109     2.800    1.80610    40.92
2      17.0000    10.206
3    -160.4354     2.200    1.48749    70.23
4      21.1892     1.254
5      24.6183     3.632    1.92286    18.90
6      43.0512     可変
7      61.1906     2.942    1.91082    35.25
8     -45.4911     0.129
9     123.1405     2.050      1.80610    40.92
10    -147.7205     1.308
11     -24.3545     1.400    1.84666    23.78
12      98.8743     可変
13      絞り        1.000
14      22.1107     3.431    1.73800    32.26
15    -181.1094     8.191
16     -27.1087     1.400    1.73800    32.26
17      20.6824     0.150
18      14.7546     5.258    1.49700    81.54
19     -28.3256     0.230
20     -79.3784     1.400    1.73800    32.26
21      14.6593     5.249    1.49700    81.54
22     -49.1074     0.150
23      31.6813     3.771    1.84666    23.78
24     -68.2643     可変
25     147.3516     1.000    1.80100    34.97
26      21.9645     1.737    1.92286    18.90
27      24.3573     可変
28      50.8870     3.100    1.49700    81.54
29    -168.7052     可変
30        ∞        4.000   1.51633     64.14 
31        ∞        0.800
像面(撮像面) ∞
非球面データ
第１面
k=-0.84139
A4=-4.6892e-07,A6=1.5690e-09
第２面
k=-1.1355
A4=7.0194e-06,A6=3.4468e-09
第９面
k=0.000
A4=-3.8230e-05,A6=-1.7225e-08
第１０面
k=0.000
A4=-6.1134e-05,A6=-7.5117e-09
第１８面
k=0.000
A4=-7.2692e-05,A6=1.3298e-07,A8=-1.3504e-9
第１９面
k=0.000
A4=6.8253e-06,A6=2.0571e-08,A8=-8.1083e-10
ズームデータ
無限                          至近（０．３５ｍ）
広角      中間      望遠      広角      中間      望遠
焦点距離          12.247    21.901    39.100    11.920    21.042    35.085
Ｆno.              2.88      3.43      4.08      2.80      3.30      3.68
画角２ω          88.03     53.51     31.11     88.87     53.90     32.27
fb (in air)       18.407    22.243    27.202    16.195    21.508    37.165
全長 (in air)    136.25    124.83    133.86    136.24    124.81    133.80
d6                34.7285   12.9368    2.7296   34.7285   12.9368    2.7296
d12               14.4019    8.2014    1.5654   14.4019    8.2014    1.5654
d24                1.5000    3.3928    7.6824    3.3206    5.3284    9.1662
d27                1.8579   12.7049   29.3307    2.2457   11.4879   17.8281
d29               14.9694   18.8047   23.7637   12.7570   18.0705   33.7275
群焦点距離
f1=-22.09    f2=118.52    f3=27.85    f4=-37.83    f5=79.03
【００８９】
数値実施例５
単位  ｍｍ
面データ
面番号      r          d         nd        νd 
物面       ∞         ∞
1      59.2511     2.800    1.80610    40.92
2      17.0000    10.160
3    -166.9221     2.200    1.49700    81.54
4      19.7605     1.121
5      22.2066     4.071    1.92286    18.90
6      36.5231     可変
7      29.3176     3.525    1.80610    40.92
8     -43.7345     0.936
9     -25.0486     1.400    1.84666    23.78
10     188.0285     可変
11      27.2231     3.140    1.69895    30.13
12    -104.7519     2.423
13      絞り        7.156
14     -10.8543     1.400    1.85026    32.27
15      31.1030     0.570
16      20.3235     5.175    1.49700    81.54 
17     -21.5394     0.542
18     106.3960     5.434    1.48749    70.23
19     -13.7926     1.400    1.84666    23.78
20     -23.1247     0.150
21      92.0391     2.323    1.92286    18.90
22    -121.7447     可変
23     152.8084     2.180    1.92286    18.90 
24     -66.7215     1.200    1.80100    34.97
25      22.6220     可変
26      62.3376     2.757    1.49700    81.54 
27    -131.9179     可変
28        ∞        4.000   1.51633     64.14 
29        ∞        0.800
像面(撮像面) ∞
非球面データ
第１面
k=2.1507
A4=-3.8746e-06,A6=4.6466e-10
第２面
k=-1.207
A4=1.3779e-05,A6=2.7514e-09
第７面
k=0.000
A4=-6.9856e-06,A6=-7.5428e-09
第８面
k=0.000
A4=-2.0993e-05,A6=-1.2872e-08
第１６面
k=0.000
A4=-8.9591e-05,A6=2.8322e-07,A8=-5.0305e-10
第１７面
k=0.000
A4=1.1202e-05,A6=-8.6926e-08,A8=-1.0239e-10
ズームデータ
無限                          至近（０．３５ｍ）
広角      中間      望遠      広角      中間      望遠
焦点距離          12.248    21.889    39.095    11.921    20.931    35.073
Ｆno.              2.88      3.43      4.08      2.80      3.28      3.67
画角２ω          88.07     53.52     30.99     88.68     53.69     31.51
fb (in air)       17.703    24.791    27.187    16.191    25.425    34.671
全長 (in air)    131.37    121.47    129.15    131.36    121.45    129.10
d6                35.5746   13.9821    2.2917   35.5746   13.9821    2.2917
d10               10.9997    6.2346    1.5000   10.9997    6.2346    1.5000
d22                1.5000    2.7240    8.4683    2.9266    4.1577   10.5251
d25                2.1666   10.3095   26.2793    2.2430    8.2264   16.6857
d27               14.2649   21.3526   23.7488   12.7528   21.9875   31.2330
群焦点距離
f1=-20.78    f2=96.62    f3=28.20    f4=-36.86    f5=85.58
【００９０】
数値実施例６
単位  ｍｍ
面データ
面番号      r          d         nd        νd 
物面       ∞         ∞
1      56.6711     2.500    1.80610    40.92
2      17.3278     9.343
3    -277.8772     1.900    1.49700    81.54
4      19.3191     1.299
5      22.0080     4.500    1.92286    18.90
6      34.4821     可変
7      30.2005     3.683    1.80610    40.92
8     -45.9959     1.261
9     -24.6774     1.200    1.84666    23.78
10    1424.9733     可変
11      22.4770     3.257    1.63980    34.46
12     -88.8786     2.015
13      絞り        6.946
14     -14.9389     1.200    1.84666    23.78
15      44.6455     0.578
16      23.2441     5.452    1.49700    81.54 
17     -13.4497     1.094
18      58.3671     2.215    1.92286    18.90
19    -185.5916     可変
20     267.3182     1.917    1.92286    18.90 
21     -95.8833     1.200    1.80100    34.97
22      25.9515     可変
23     121.9942     3.072    1.49700    81.54 
24     -45.9952     可変
25        ∞        4.000   1.51633     64.14 
26        ∞        0.800
像面(撮像面) ∞
非球面データ
第１面
k=2.1038
A4=-9.0119e-06,A6=1.6932e-09
第２面
k=-1.9168
A4=2.2431e-05,A6=-3.7899e-08
第７面
k=0.000
A4=-2.2829e-06,A6=-9.7571e-09
第８面
k=0.000
A4=-1.4527e-05,A6=-2.8093e-08
第１６面
k=0.000
A4=-1.0252e-04,A6=4.0780e-07,A8=-1.1777e-09
第１７面
k=0.000
A4=1.3721e-05,A6=1.7499e-08,A8=1.2935e-10
ズームデータ
無限                          至近（０．３５ｍ）
広角      中間      望遠      広角      中間      望遠
焦点距離          12.248    21.902    39.090    11.964    21.030    36.607
Ｆno.              4.08      4.08      4.08      3.98      3.92      3.83
画角２ω          88.49     53.14     30.86     88.67     52.84     30.25
fb (in air)       16.203    24.240    27.195    16.203    24.240    27.195
全長 (in air)    123.24    109.26    117.35    123.24    109.26    117.35
d6                32.1018   10.4781    1.5000   32.1018   10.4781    1.5000
d10               14.5313    7.8072    1.5000   14.5313    7.8072    1.5000
d19                1.5000    3.2833    8.7629    2.5000    5.2113   13.2608
d22                2.9134    7.4567   22.4013    1.9134    5.5287   17.9034
d24               12.7650   20.8022   23.7571   12.7650   20.8022   23.7571
群焦点距離
f1=-20.78    f2=67.83    f3=24.14    f4=-26.67    f5=54.58
【００９１】
数値実施例７
単位  ｍｍ
面データ
面番号      r          d         nd        νd 
物面       ∞         ∞
1      57.1845     2.500    1.80610    40.92
2      17.0000     7.512
3      98.7145     1.900    1.49700    81.54
4      18.9752     1.625
5      22.0319     3.430    1.92286    18.90
6      28.6857     可変
7      29.1976     3.455    1.80610    40.92
8     -68.8613     2.224
9     -24.1742     1.200    1.84666    23.78
10     -99.4181     可変
11      18.1851     2.956    1.72047    34.71
12     203.8700     1.379
13      絞り        4.981
14     -19.8048     1.200    1.84666    23.78
15      28.4287     0.782
16      21.3219     7.715    1.49700    81.54 
17     -16.4664     0.150
18      86.9990     2.276    1.92286    18.90
19     -62.4918     可変
20     -42.4512     1.200    1.90366    31.32
21      81.2085     可変
22      59.0047     3.149    1.49700    81.54 
23     -68.2113     可変
24        ∞        4.000   1.51633     64.14 
25        ∞        0.800
像面(撮像面) ∞
非球面データ
第１面
k=-13.5888
A4=-2.2579e-06,A6=-7.7764e-10
第２面
k=-2.0180
A4=2.1964e-05,A6=-4.8961e-08
第７面
k=0.000
A4=6.0468e-06,A6=-4.7379e-09
第８面
k=0.000
A4=-9.6098e-06,A6=-4.5475e-08
第１６面
k=0.000
A4=-9.4349e-05,A6=3.9149e-07,A8=8.1740e-10
第１７面
k=0.000
A4=1.2917e-05,A6=7.5270e-09,A8=1.4648e-09
ズームデータ
無限                          至近（０．３５ｍ）
広角      中間      望遠      広角      中間      望遠
焦点距離          12.256    21.898    38.889    12.094    21.378    36.495
Ｆno.              4.08      4.08      4.08      4.03      3.98      3.84
画角２ω          88.29     53.83     31.48     88.35     53.43     31.72
fb (in air)       17.036    25.497    27.963    18.235    28.164    35.665
全長 (in air)    121.08    103.53    111.33    121.08    103.53    111.33
d6                36.7060   10.9677    1.5000   36.7060   10.9677    1.5000
d10               12.3862    7.7477    1.5000   12.3862    7.7477    1.5000
d19                1.5000    4.0313    8.1710    1.5000    4.0313    8.1710
d21                2.4559    4.2874   21.1968    1.2566    1.6202   13.4948
d23               13.5982   22.0587   24.5249   14.7975   24.7259   32.2269
群焦点距離
f1=-21.38    f2=82.18    f3=27.05    f4=-38.55    f5=67.62
【００９２】
数値実施例８
単位  ｍｍ
面データ
面番号      r          d         nd        νd 
物面       ∞         ∞
1     238.3687     2.500    1.49700    81.54
2      17.0000     6.686
3      55.4095     1.900    1.49700    81.54
4      17.8967     4.485
5      20.3736     2.394    1.92286    18.90
6      21.2401     可変
7      25.6638     4.500    1.80610    40.92
8    -156.8626     1.194
9      58.1263     1.200    1.90366    31.32
10      21.6003     可変
11      19.6679     3.228    1.58313    59.38
12     178.3194     2.300
13      絞り        5.649
14     -33.0621     5.750    1.84666    23.78
15      34.1402     0.303
16      20.1759     5.198    1.49700    81.54 
17     -22.7848     1.977
18      86.1732     1.200    1.90366    31.32
19      31.2422     2.746    1.92286    18.90
20    -382.6973     可変
21     -15.2506     1.200    1.90366    31.32
22     -23.6533     可変
23     235.8744     3.009    1.49700    81.54 
24     -40.2987     可変
25        ∞        4.000   1.51633     64.14 
26        ∞        0.800
像面(撮像面) ∞
非球面データ
第１面
k=-89.6751
A4=-2.8283e-07,A6=2.8425e-11
第２面
k=-1.9991
A4=2.2900e-05,A6=-4.0502e-08
第７面
k=0.000
A4=-9.6367e-06
第１１面
k=0.000
A4=9.6694e-06
第１６面
k=0.000
A4=-3.4185e-05,A6=3.7690e-08,A8=5.4702e-11
第１７面
k=0.000
A4=8.4285e-06,A6=5.6158e-08,A8=3.9066e-10
ズームデータ
無限                          至近（０．３５ｍ）
広角      中間      望遠      広角      中間      望遠
焦点距離          12.247    21.896    39.061    11.879    21.058    37.063
Ｆno.              4.08      4.08      4.08      4.03      3.97      3.89
画角２ω          87.88     53.63     31.19     88.29     54.21     31.39
fb (in air)       16.198    24.994    27.198    16.198    24.994    27.198
全長 (in air)    127.30    116.58    128.24    127.30    116.58    128.24
d6                43.2791   15.2943    1.9104   45.1548   17.5440    5.0679
d10                4.6178    7.5710    6.7254    2.7422    5.3213    3.5679
d20                2.9282    7.9775   18.9472    2.9282    7.9775   18.9472
d22                1.5000    1.9602   14.6813    1.5000    1.9602   14.6813
d24               12.7596   21.5562   23.7603   12.7596   21.5562   23.7603
群焦点距離
f1=-21.67    f2=63.20    f3=24.86    f4=-30.71    f5=64.18
【００９３】
数値実施例９
単位  ｍｍ
面データ
面番号      r          d         nd        νd 
物面       ∞         ∞
1      77.1951     2.505    1.80610    40.92
2      17.0986    11.149
3     738.9914     1.915    1.49700    81.54
4      25.4262     0.157
5      24.7353     4.505    1.92286    18.90
6      44.0211     可変
7      70.2810     2.403    1.80610    40.92
8     -72.5862     1.049
9     -24.3202     1.207    1.84666    23.78
10     -54.0452     可変
11      25.3683     3.610    1.65412    39.68
12     -67.1935     1.022
13      絞り        7.394
14     -18.5524     1.214    1.84666    23.78
15      90.7835     0.784
16      40.3926     6.086    1.49700    81.54 
17     -15.2301     0.744
18      59.0166     2.350    1.92286    18.90
19     153.5972     可変
20     102.6552     2.153    1.92286    18.90 
21   -1050.9338     1.215    1.80100    34.97
22      34.6785     可変
23     115.2966     2.943    1.49700    81.54 
24     -69.0895     可変
25        ∞        4.000   1.51633     64.14 
26        ∞        0.800
像面(撮像面) ∞
非球面データ
第１面
k=-11.6770
A4=4.7923e-06,A6=-2.1507e-09
第２面
k=-0.4722
A4=1.1497e-06,A6=1.1275e-08
第７面
k=0.000
A4=-1.5791e-05,A6=-8.6919e-09
第８面
k=0.000
A4=-2.4951e-05,A6=-1.4463e-08
第１６面
k=0.000
A4=-6.2066e-05,A6=9.6763e-08,A8=-6.2537e-11
第１７面
k=0.000
A4=1.0914e-05,A6=-2.8994e-08,A8=6.9663e-11
ズームデータ
無限                          至近（０．３５ｍ）
広角      中間      望遠      広角      中間      望遠
焦点距離          12.240    21.900    39.202    12.026    21.204    36.500
Ｆno.              2.88      3.43      4.08      2.83      3.32      3.81
画角２ω          87.81     54.02     31.04     87.66     53.55     30.54
fb (in air)       20.043    25.445    27.209    16.249    25.797    29.509
全長 (in air)    126.74    115.82    123.32    126.75    115.80    123.29
d6                31.6255   10.8841    1.7709   31.6255   10.8841    1.7709
d10               14.2941    8.5628    1.6090   14.2941    8.5628    1.6090
d19                2.1502    1.5465    8.0051    6.9043    4.9504   16.1674
d22                2.8593   13.6173   28.9603    1.9133    9.8413   18.4621
d24               16.6051   22.0074   23.7705   12.8111   22.3590   26.0714
群焦点距離
f1=-21.58    f2=69.62    f3=32.15    f4=-50.96    f5=69.50
【００９４】
以上の実施例１〜９の無限遠物点合焦時の収差図をそれぞれ図３、図７、図１１、図１５、図１９、図２３、図２７、図３１、図３５に、至近（０．３５ｍ）物点合焦時の収差図をそれぞれ図４、図８、図１２、図１６、図２０、図２４、図２８、図３２、図３６に
示す。これらの収差図において、（ａ）は広角端、（ｂ）は中間焦点距離状態、（ｃ）は望遠端における球面収差（ＳＡ）、非点収差（ＡＳ）、歪曲収差（ＤＴ）、倍率色収差（ＣＣ）を示す。各図中、”ＦＩＹ”は最大像高を示す。
【００９５】
次に、各実施例における条件式の値を掲げる。
実施例１   実施例２   実施例３  実施例４   実施例５
(1)  β4t／β4w              1.35       1.41       1.72       1.69       1.67
(2) （ｄ34t−ｄ34w）／ｆw    0.84       0.91       0.37       0.51       0.57
(3) （ｄ45t−ｄ45w）／ｆw    2.08       2.07       2.13       2.24       1.97
(4)  ｆ2／ｆw                      19.29       7.35       7.36       9.68       7.89
(5)  ｆt／ｆw                       3.19       3.19       3.19       3.19       3.19
(6)  ｆbw／ｆw               1.32       1.32       1.45       1.50       1.45
(7)  ν12                   70.23      70.23      70.23      70.23      81.54
(8)  ｜ν4p−ν4n｜         12.42      12.42      16.07      16.07      16.07
(9)  ｜ｆ4／ｆw｜            3.39       3.17       3.24       3.09       3.01
(10)  △4w／△5w             1.78       1.94       0.81       0.82       0.94
【００９６】
実施例６   実施例７   実施例８  実施例９
(1)  β4t／β4w              1.68       1.78       1.48       1.39
(2) （ｄ34t−ｄ34w）／ｆw    0.59       0.54       1.31       0.48
(3) （ｄ45t−ｄ45w）／ｆw    1.59       1.53       1.08       2.13
(4)  ｆ2／ｆw                       6.71       5.16       5.69      19.86
(5)  ｆt／ｆw                       3.19       3.17       3.19       3.20
(6)  ｆbw／ｆw               1.32       1.39       1.32       1.64
(7)  ν12                   81.54      81.54      81.54      81.54
(8)  ｜ν4p−ν4n｜         16.07        -          -        16.07
(9)  ｜ｆ4／ｆw｜            3.15       2.51       4.16       6.00
(10)  △4w／△5w              -          -          -         1.25
【産業上の利用可能性】
【００９７】
以上のように、本発明にかかるズームレンズは、標準ズームレンズにおいて、動画機能にも対応すべくウォブリング機能も考慮した場合に有用である。
【符号の説明】
【００９８】
Ｇ１…第１レンズ群
Ｇ２…第２レンズ群
Ｇ３…第３レンズ群
Ｇ４…第４レンズ群
Ｇ５…第５レンズ群
Ｓ…明るさ絞り
Ｃ…カバーガラス
Ｉ…像面
【図１】
0005769554.tif 000002
【図２】
0005769554.tif 000003
【図３】
0005769554.tif 000004
【図４】
0005769554.tif 000005
【図５】
0005769554.tif 000006
【図６】
0005769554.tif 000007
【図７】
0005769554.tif 000008
【図８】
0005769554.tif 000009
【図９】
0005769554.tif 000010
【図１０】
0005769554.tif 000011
【図１１】
0005769554.tif 000012
【図１２】
0005769554.tif 000013
【図１３】
0005769554.tif 000014
【図１４】
0005769554.tif 000015
【図１５】
0005769554.tif 000016
【図１６】
0005769554.tif 000017
【図１７】
0005769554.tif 000018
【図１８】
0005769554.tif 000019
【図１９】
0005769554.tif 000020
【図２０】
0005769554.tif 000021
【図２１】
0005769554.tif 000022
【図２２】
0005769554.tif 000023
【図２３】
0005769554.tif 000024
【図２４】
0005769554.tif 000025
【図２５】
0005769554.tif 000026
【図２６】
0005769554.tif 000027
【図２７】
0005769554.tif 000028
【図２８】
0005769554.tif 000029
【図２９】
0005769554.tif 000030
【図３０】
0005769554.tif 000031
【図３１】
0005769554.tif 000032
【図３２】
0005769554.tif 000033
【図３３】
0005769554.tif 000034
【図３４】
0005769554.tif 000035
【図３５】
0005769554.tif 000036
【図３６】
0005769554.tif 000037